(57)【要約】【課題】高輝度ＬＥＤを用いた両面式の内照式看板において、看板の厚みの肥大化を押えつつ、より均一な広告の照明を可能とする。【解決手段】本願発明に係る看板では、ケーシング１の正面と背面との間を光が通過することができる隙間ｋを開けて複数のバー３０が配設され、一部のバー３０は高輝度ＬＥＤ３２の配列面をケーシング正面側へ向ける正面照射バーであり、他のバー３０は高輝度ＬＥＤ３２の配列面をケーシング背面側へ向ける背面照射バーであり、各照射バーは、略平行に並べられ、正面照射バーの高輝度ＬＥＤの配列面は、看板の前後方向について、隣り合う背面照射バーの高輝度ＬＥＤの配列面よりも看板の背面へ寄り、背面照射バーの高輝度ＬＥＤの配列面は、看板の前後方向について、隣り合う正面照射バーの高輝度ＬＥＤの配列面よりも、看板の正面へ寄り、看板の正面又は背面側から見て、各バー同士は異なる位置に配置されている。【選択図】図１
2011221369.tif 000002
【特許請求の範囲】
【請求項１】
中空のケーシングと、ケーシング内に設けられ電気の供給を受けて光る光源と、この光源に電気を供給する電源とを備え、ケーシングは、当該光源からの光を透過する広告面を正面と背面の両面に有するものであり、光源は複数の高輝度ＬＥＤから構成された内照式看板において、
ケーシング内には、ケーシングの正面と背面との間を光が通過することができる隙間を開けて、複数のバーが配設され、
各バーの片面には、複数の上記高輝度ＬＥＤがバーの長手方向に沿って互いに間隔を開けて配列され、
高輝度ＬＥＤの夫々は、照射範囲を拡大するレンズが設けられ、
ケーシング内において、複数のバーうち一部のバーは、高輝度ＬＥＤの配列面を  ケーシング正面側へ向ける正面照射バーであり、複数のバーうち他の少なくとも一部のバーは、高輝度ＬＥＤの配列面をケーシング背面側へ向ける背面照射バーであり、
正面照射バーの高輝度ＬＥＤの配列面は、看板の前後方向について、背面照射バーの高輝度ＬＥＤの配列面と同じ位置か、当該背面照射バーの高輝度ＬＥＤの配列面よりも看板の背面へ寄った位置に配置されたことを特徴とする内照式看板。
【請求項２】
中空のケーシングと、ケーシング内に設けられ電気の供給を受けて光る光源と、この光源に電気を供給する電源とを備え、ケーシングは、当該光源からの光を透過する広告面を正面と背面の両面に有するものであり、光源は複数の高輝度ＬＥＤから構成された内照式看板において、
ケーシング内には、ケーシングの正面と背面との間を光が通過することができる隙間を開けて、複数のバーが配設され、
各バーの片面には、複数の上記高輝度ＬＥＤがバーの長手方向に沿って互いに間隔を開けて配列され、
高輝度ＬＥＤの夫々は、照射範囲を拡大するレンズが設けられ、
ケーシング内において、複数のバーうち一部のバーは、高輝度ＬＥＤの配列面を  ケーシング正面側へ向ける正面照射バーであり、複数のバーうち他の少なくとも一部のバーは、高輝度ＬＥＤの配列面をケーシング背面側へ向ける背面照射バーであり、
正面照射バーの高輝度ＬＥＤの配列面は、看板の前後方向について、隣り合う背面照射バーの高輝度ＬＥＤの配列面と同じ位置か、当該背面照射バーの高輝度ＬＥＤの配列面よりも看板の背面へ寄った位置に配置され、
背面照射バーの高輝度ＬＥＤの配列面は、看板の前後方向について、隣り合う正面照射バーの高輝度ＬＥＤの配列面と同じ位置か、当該正面照射バーの高輝度ＬＥＤの配列面よりも、看板の正面へ寄った位置に配置され、
看板の正面又は背面側から見て、各バー同士は異なる位置に配置されたことを特徴とする内照式看板。
【請求項３】
ケーシングの正背面に対する高輝度ＬＥＤの配列面の向きが同じ照射バーを２本以上備え、隣り合う、高輝度ＬＥＤの配列面の向きが同じ当該照射バー同士は、間隔を開け互いに略平行に並べられ、正面視において、向きの異なるバー同士が互い違いに配列されたことを特徴とする請求項１又は２記載の内照式看板。
【請求項４】
ケーシングの広告面は、アクリル製の面板にて形成されたものであり、
レンズが設けられた高輝度ＬＥＤは、夫々照射角を１２０〜１７０度とするものであり、
正面照射バーと背面照射バーとは、平行に並べられ、
正面照射バーの高輝度ＬＥＤの配列面は、ケーシング内の、ケーシングの正面と背面との中間の位置から、ケーシングの正面と背面との間の幅の１／４を超えない範囲において、ケーシング背面側へ寄せられたものであり、
背面照射バーの高輝度ＬＥＤの配列面は、ケーシング内の、ケーシングの正面と背面との中間の位置から、ケーシングの正面と背面との間の幅の１／４を超えない範囲において、ケーシング正面側へ寄せられたものであり、
隣り合う正面照射バーと背面照射バー夫々の高輝度ＬＥＤの配列面は、互いの高輝度ＬＥＤが発する直接光同士が重ならないように配置されたものであることを特徴とする請求項１乃至３の何れかに記載の内照式看板。
【発明の詳細な説明】
【技術分野】
【０００１】
本願発明は、内照式看板に関するものである。
【背景技術】
【０００２】
光を透過する広告面をハウジングに備え当該広告面をハウジングの内部の光源にて照らす内照式看板について、省エネルギーのメリットや、寿命が短く頻繁にメンテナンスが必要な蛍光灯と比べて比較的寿命が長いというメリットから、近年、ＬＥＤを光源として採用する傾向が顕著になりつつある。
ＬＥＤを光源とする場合、個々のＬＥＤは点光源となるので、蛍光灯と同様に幅のある光を放とうとすると、ハウジング内へ多数のＬＥＤを密に設ける必要がある。
多数のＬＥＤを用いることにより、発熱量も増し消費電力も大きくなり、コストも上がる。また、ＬＥＤの取り付けの手間も掛かる。
【０００３】
このため、特許文献１及び２に見られるように、特に、輝度の高い高輝度ＬＥＤを採用することにより、広告面を照らすのに必要な明るさを、少数のＬＥＤにて確保しようとの考えがある。
しかし、少数の高輝度ＬＥＤを疎らに配置すると、広告面において、高輝度ＬＥＤと近い部分と、高輝度ＬＥＤから離れた部分とで、明暗の差が大きくなる。
この点について、特許文献２では、光拡散部材として、乳半のアクリル板を、個々の高輝度ＬＥＤに被せるように設けているが、不十分であり、また、このような拡散部材の拡散率を単に上げるだけでは、照度が全体として低下して、広告の照明を十分行えない危惧が生じる。
【先行技術文献】
【特許文献】
【０００４】
【特許文献１】実用新案登録第３１２６１６６号公報
【特許文献２】特開２００６−３１３２７１号公報
【発明の概要】
【発明が解決しようとする課題】
【０００５】
このような問題に対して、ＬＥＤから放たれた光が十分広がって、隣り合うＬＥＤ間に生じるコントラストの低い部分をカバーできるように、ＬＥＤと広告面と間隔を大きすることも考えられるが、看板の肥大化を招来し、省スペースや軽量化の観点から、厚みの薄い看板へのニーズの高まりに逆行するものである。
上記の事情に鑑み、本願発明は、高輝度ＬＥＤを光源とし、正面と背面の両面を広告面とする両面式の内照看板において、看板の肥大化を抑制しつつ、光源による広告面の明暗の差を緩和したものを提供することを目的とする。
【課題を解決するための手段】
【０００６】
本願の請求項１に係る発明は、中空のケーシングと、ケーシング内に設けられ電気の供給を受けて光る光源と、この光源に電気を供給する電源とを備え、ケーシングは、当該光源からの光を透過する広告面を正面と背面の両面に有するものであり、光源は複数の高輝度ＬＥＤから構成された内照式看板において、次の構成を採る。
即ち、ケーシング内には、ケーシングの正面と背面との間を光が通過することができる隙間を開けて、複数のバーが配設され、各バーの片面には、複数の上記高輝度ＬＥＤがバーの長手方向に沿って互いに間隔を開けて配列されている。高輝度ＬＥＤの夫々は、照射範囲を拡大するレンズが設けられている。ケーシング内において、複数のバーうち一部のバーは、高輝度ＬＥＤの配列面をケーシング正面側へ向ける正面照射バーであり、複数のバーうち他の少なくとも一部のバーは、高輝度ＬＥＤの配列面をケーシング背面側へ向ける背面照射バーであり、正面照射バーの高輝度ＬＥＤの配列面は、看板の前後方向について、背面照射バーの高輝度ＬＥＤの配列面と同じ位置か、当該背面照射バーの高輝度ＬＥＤの配列面よりも看板の背面へ寄った位置に配置されたことを特徴とする。
尚、上記の電源は、外部から電気を導き光源へ供給する回路をいい、交流電流を直流電流に変換するコンバータを備えるものを含む。但し、電源は、上記コンバータを備える回路に限定するものではなく、交流電流の直流への変換は、看板外部のコンバータに頼るものとし、電源は、当該外部のコンバータによる変換後の電流を光源へ伝達するのみの回路であってもよい。更に、光源に供給する電流自体、直流に限るものではなく、上記電源には、このように直流でない電流を供給する回路を含む。
【０００７】
本願の請求項２に係る発明は、中空のケーシングと、ケーシング内に設けられ電気の供給を受けて光る光源と、この光源に電気を供給する電源とを備え、ケーシングは、当該光源からの光を透過する広告面を正面と背面の両面に有するものであり、光源は複数の高輝度ＬＥＤから構成された内照式看板において、次の構成を採る。
即ち、ケーシング内には、ケーシングの正面と背面との間を光が通過することができる隙間を開けて、複数のバーが配設され、各バーの片面には、複数の上記高輝度ＬＥＤがバーの長手方向に沿って互いに間隔を開けて配列され、高輝度ＬＥＤの夫々は、照射範囲を拡大するレンズが設けられ、ケーシング内において、複数のバーうち一部のバーは、高輝度ＬＥＤの配列面をケーシング正面側へ向ける正面照射バーであり、複数のバーうち他の少なくとも一部のバーは、高輝度ＬＥＤの配列面をケーシング背面側へ向ける背面照射バーである。正面照射バーの高輝度ＬＥＤの配列面は、看板の前後方向について、隣り合う背面照射バーの高輝度ＬＥＤの配列面と同じ位置か、当該背面照射バーの高輝度ＬＥＤの配列面よりも看板の背面へ寄った位置に配置され、背面照射バーの高輝度ＬＥＤの配列面は、看板の前後方向について、隣り合う正面照射バーの高輝度ＬＥＤの配列面と同じ位置か、当該正面照射バーの高輝度ＬＥＤの配列面よりも、看板の正面へ寄った位置に配置され、看板の正面又は背面側から見て、各バー同士は異なる位置に配置されたことを特徴とする。
【０００８】
本願の請求項３に係る発明では、上記本願の請求項１又は２に係る発明にあって、ケーシングの正背面に対する高輝度ＬＥＤの配列面の向きが同じ照射バーを２本以上備え、隣り合う、高輝度ＬＥＤの配列面の向きが同じ当該照射バー同士は、間隔を開け互いに略平行に並べられ、正面視において、向きの異なるバー同士が互い違いに配列された内照式看板を提供する。
【０００９】
本願の請求項４に係る発明では、上記本願の請求項１乃至３の何れかに係る発明にあって、  ケーシングの広告面は、アクリル製の面板にて形成されたものであり、レンズが設けられた高輝度ＬＥＤは、夫々照射角を１２０〜１７０度とするものであり、正面照射バーと背面照射バーとは、略平行に並べられ、正面照射バーの高輝度ＬＥＤの配列面は、ケーシング内の、ケーシングの正面と背面との中間の位置から、ケーシングの正面と背面との間の幅の１／４を超えない範囲において、ケーシング背面側へ寄せられたものであり、背面照射バーの高輝度ＬＥＤの配列面は、ケーシング内の、ケーシングの正面と背面との中間の位置から、ケーシングの正面と背面との間の幅の１／４を超えない範囲において、ケーシング正面側へ寄せられたものであり、隣り合う正面照射バーと背面照射バー夫々の高輝度ＬＥＤの配列面は、互いの高輝度ＬＥＤが発する直接光同士が重ならないように配置されたものであることを特徴とする内照式看板を提供する。ここで照射角とは、ＬＥＤが発する光の光軸を中心として略円錐状に広がる当該光について、上記光軸を挟む、上記円錐の母線間の角度である。
【発明の効果】
【００１０】
本願発明は、正面側を照らす光源と背面側を照らす光源をケーシング内へ配置する手段を、ケーシング内の前後を完全に画して遮光してしまう面板とするのではなく、複数のバーとし、ケーシング内においてケーシングの正面と背面との間に光を通す隙間を確保するものであるので、背面照射バーの高輝度ＬＥＤが発して、ケーシング内で反射した間接光を、正面側の広告面へ通すことができ、正面照射バー間の暗部をカバーすることができ、逆に、正面照射バーの高輝度ＬＥＤが発して、ケーシング内で反射した間接光を、背面側の広告面へ通すことができ、背面照射バー間の暗部をカバーすることができる。従って、比較的少数の高輝度ＬＥＤにて、暗部の少ない均一性の高い照明を実現することができる。
そして、本願第２の発明では、正面視又は背面視において、各バーを異なる位置に配置し、正面照射バーと背面照射バー同士が邪魔にならないものとした上で、高輝度ＬＥＤの照射範囲の広がりを確保するため広告面との距離を取り得たものであり、高輝度ＬＥＤの照射範囲の広がりを確保するために、看板の正面と背面との間の間隔を従来のものに比して小さく押えることができ、看板を肥大させずに、より均一な正面及び背面の広告照明を行うことができる。
【００１１】
本願の第１又は第２の発明では、特に、正面照射バーのＬＥＤの配列面を、背面照射バーのＬＥＤの配列面よりも背面側の広告面寄りに配置し、背面照射バーのＬＥＤの配列面を正面照射バーのＬＥＤの配列面よりも正面側の広告面寄りに配置することによって、直接光が広がるのに必要な広告面と光源との間隔を十分確保し得た。
また、ケーシングの正面側において、正面照射バーを背面照射バーよりもケーシングの背面側へ寄せ、正面照射バーの高輝度ＬＥＤの直接光が届かない範囲に対する背面照射バーの高輝度ＬＥＤからの間接光と、正面照射バーの高輝度ＬＥＤの直接光との、強さの差を小さくし、正面側の広告に、明暗のムラのないより均一な照明を施すことができる。
同様に、ケーシングの背面側において、背面照射バーを正面照射バーよりもケーシングの正面側へ寄せ、背面照射バーの高輝度ＬＥＤの直接光が届かない範囲に対する正面照射バーの高輝度ＬＥＤからの間接光と、背面照射バーの高輝度ＬＥＤの直接光との、強さの差を小さくし、背面側の広告に、明暗のムラのないより均一な照明を施すことができる。
また、ケーシングの形状や寸法に応じて、バー単位で、ケーシング内の各高輝度ＬＥＤの配置を決めることができ、また、バー単位で光源を増減し、配置を決定することができるので、看板のサイズや形状の変更にも、柔軟に対処することができる。このため、個々のＬＥＤごとに、ケーシング内のレイアウトを考慮する必要がない。
【００１２】
また、本願の請求項３の発明では、上記の効果に加えて、看板の正面側へ向けた直接光を、看板の背面側へ向けた直接光の間接光で補うことにより、また、看板の背面側へ向けた直接光を、看板の正面側へ向けた直接光の間接光で補うことにより、看板の正面と背面の夫々において、よりムラなく広告を照らすことができる。
本願の請求項４の発明では、本願の上記請求項１〜３の発明の効果をより確実に得ることができるものとした。
【図面の簡単な説明】
【００１３】
【図１】（Ａ）は本願発明の一実施の形態に係る内照式看板の正面側のケーシングを外した状態の正面図、（Ｂ）は当該看板の平面図。
【図２】図１の看板に設けられたバーの斜視図。
【図３】（Ａ）は図１の看板の要部略端面図、（Ｂ）は（Ａ）の変更例を示す要部略端面図、（Ｃ）は更に他の変更例を示す要部略端面図。
【発明を実施するための形態】
【００１４】
以下、図面に基づき本願発明の実施の形態を説明する。ここでは、ビルなどの壁面やポールなどの外周面などの、建造物に設置する突き出し型の看板に本願発明を実施した場合を例示して説明する。
図１（Ａ）（Ｂ）へ示す通り、この看板は、ケーシング１と、電源部２と、光源部３とを備える。
以下、各部の構成について順に説明する。
【００１５】
ケーシング１は、光源部３及び電源部２を収容する中空の本体１０と、本体１０を支持する本体支持部１１とを備える。
この実施の形態において、本体支持部１１は、本体１０の側部、特に左右何れかの側部に設けられて、本体１０を建造物の壁面或いは電柱などのポールへ支持するアングル状部材である。図１（Ａ）へ示すように、本体支持部１１は、特に、アングルを形成する縦横の板状体間に正面視三角形の袖状の板部を有するものが好ましい。但し、本体支持部１１は、このような構成の支持手段に限定するものではなく、周知の他の支持手段を採用するものであってもよい。
本体１０は、看板の正面を構成する正面部１２（図１（Ｂ））と、看板の背面を構成する背面部１３（図１（Ｂ））と、枠体１４と、光源部３を支持する支持体１５とを備える。
【００１６】
正面部１２及び背面部１３の夫々は、広告が表示された広告表示部を構成するものであり、光源部３からの光を透過する半透明のアクリル製の面板である。この広告表示部において、広告が表示された広告表示層と、光を散乱させる乳半層とを、別々のシート及び板状体として構成するものとしても、一体に形成されるものとしても何れでもよい。広告表示部については、アクリル乳半で形成する他、ポリカーボネート、塩化ビニル、ＰＥＴにて形成することも可能である。
但し、正面部１２及び背面部１３は、夫々、面板を用いて構成するものに限定するものではなく、例えばＦＦシート（フレキシブル・フェイス・シート）を張ることにて構成するものとしても実施可能である。
【００１７】
枠体１４は、看板の上下左右の側面を構成し且つ正面部１２及び背面部１３を支持する金属製のフレームである。
この実施の形態において、枠体１４は、右側部１４ａ、左側部１４ｂ、上側部１４ｃ及び下側部１４ｄを備え、正面視略矩形を呈する。
【００１８】
図１（Ａ）及び図２へ示す通り、光源部３は、複数のバー３０…３０と、各バー３０に取り付けられた複数の高輝度ＬＥＤ３２のモジュール（基板）３１…３１と、制御コントローラ３３とによって構成される。
【００１９】
バー３０の夫々は、図２へ示す通り、放熱の高い金属製の長尺のチャンネル材にて形成されている。バー３０を構成する材料としては、鉄やアルミニウムなどが適し、特に、放熱性と軽量化の面で、アルミニウムにて、バー３０を形成するのが好ましい。
個々のバー３０の表面には、上記高輝度ＬＥＤ３２のモジュール３１…３１が複数間隔を開け、バー３０の長手方向に沿って配列されている。各モジュール３１…３１は、バー３０に対してネジ等の周知の固定手段により固定されている。
【００２０】
この実施の形態において、バー３０は、長手方向と交差する方向の両端が前方に折られた状態に成形されて断面視略Ｃ字状に形成されている。各モジュール３１を、バー３０の長手方向の端部より当該Ｃ字の内側に挿入して、バー３０長方向に沿ってスライドさせ、モジュール３１，３１同士間隔を開けて配置した後、ネジ留めされたものである。
バー３０の長手方向の幅は、取り付ける高輝度ＬＥＤ３２のモジュール３１の個数に応じて決定すればよい。
バー３０の、その長手方向と直交する方向の幅は、モジュール３１の幅に合わせて定めればよく、市販のモジュール３１の幅に合わせて、３〜６ｃｍとするのが好ましい。また、バー３０の厚み方向の幅は、０．５〜２ｃｍとするのが好ましい。但し各部の寸法は上記に限定するものではない。
【００２１】
１つのモジュール３１の表面には、１つの高輝度ＬＥＤ３２が設けられている。
高輝度ＬＥＤ３２には、市販の周知ものを採用することができる。
モジュール３１の表面には、高輝度ＬＥＤ３２を覆うように、高輝度ＬＥＤ３２の照射範囲（照射角度）を広げるためのレンズが装着されている。このレンズが装着された高輝度ＬＥＤ３２の照射角θ（図３（Ａ））は、１２０〜１７０度とするのが好ましく、１５０〜１６０度とするのがより好ましく、１６０度とするのが最も好ましい。
高輝度ＬＥＤには、従来のＬＥＤに比べて２０〜３０倍程度の輝度を有するものを採用することができる。例えば、高輝度ＬＥＤ３２（モジュール３１）には、光束１００ｌｍとし、色温度を６５００Ｋとする市販のものを採用するのが好ましい。但し、高輝度ＬＥＤ３２についてはこのような数値のものに限定するものものではない。
一つのバー３０において、隣接する高輝度ＬＥＤ３２，３２間の間隔は、５〜４０ｃｍとするのが好ましく、１０〜３０ｃｍとするのがより好ましく、１０〜２５ｃｍとするのが更に好ましく、特に、約２０ｃｍとするのが最も好ましい。
前述の通り、照射角θとは、ＬＥＤが発する光の光軸Ｍを中心として略円錐状に広がる当該光について、上記光軸Ｍを挟む、上記円錐の母線Ｎ，Ｎ間の角度である（例えば、照射角θが１６０度の場合、後述する図３（Ｂ）（Ｃ）へ示す通り、光軸Ｍと直交する仮想面即ち後述の中間線Ｇを含む仮想平面と、上記母線Ｎ，Ｎとがなす角度を１０度とするというのと同じ意味である。尚、図３（Ｂ）（Ｃ）において、図面の煩雑を避けるため、背面照射バー３０ｂの高輝度ＬＥＤ３２についてのみ、光軸Ｍを示しており、正面照射バー３０ａの高輝度ＬＥＤ３２については、光軸Ｍの表記を省略している）。
【００２２】
１つのバー３０に設けられた各モジュール３１…３１は、コードにて電気的に接続されている。
１つのバー３０には１つの制御コントローラ３３が設けられており、上記モジュール３１と電気的に接続されている。
制御コントローラ３３は、バー３０単位で、高輝度ＬＥＤ３２に供給する電流を制御する、電流制御回路である。この制御コントローラ３３は、高輝度ＬＥＤ３２へ供給する電流を安定させるものであり、定電流電源を使用する場合には、設けずに実施してもよい。即ち、電源が定電流電源として駆動するとき、制御コントローラ３３は不要の場合があり、そのような場合制御コントローラ３３を設けずに実施することができる。
各バー３０は、高輝度ＬＥＤ３２の上記モジュール３１と、他のバー３０の高輝度ＬＥＤ３２のモジュール３１とを電気的に接続するコネクタ３４，３４を備える。
個々のバー３０を光源部を構成するユニットとして、光源の増設や光源のレイアウトの変更は、バー３０単位で行うことができる。従って、看板のサイズや形状が変われば、バー３０の数や配置を変えて対応すればよい。
【００２３】
図１（Ａ）へ示す通り、電源部２は、電源器２０と、電源コード２１とを備え、光源部３の高輝度ＬＥＤ３２のモジュール３１と電気的に接続されて、光源部３に電気を供給する。
【００２４】
支持体１５…１５は、図１（Ａ）へ示す通り、各バー３０…３０が取り付けられて、バー３０…３０をケーシング１内に支持する。
この実施の形態において、支持体１５…１５の夫々は、枠体１４の右側部１４ａと左側部１４ｂとの間へ左右に渡された棒状体である。
この支持体１５…１５に対して、各バー３０…３０同士を互いに間隔を空け上下に立てた状態に固定する。この固定は、ネジ留め等の周知の固定手段により行えばよい。
支持体１５…１５は、複数あるバー３０…３０のうち一部のバー３０を正面照射バー３０ａとして、その表面即ち高輝度ＬＥＤ３２…３２が配列された面をケーシング１の正面側へ向けて保持し、複数のバー３０…３０うち他の少なくとも一部のバー３０を背面照射バー３０ｂとして、その表面即ち高輝度ＬＥＤ３２…３２が配列された面をケーシング背面側の広告面へ向けて保持する。
この実施の形態に係る看板は、正面照射バー３０ａと背面照射バー３０ｂの何れも複数備えるものである。具体的には、図１（Ａ）へ示す通り、この看板は、正面照射バー３０ａが左右に２本平行に並べられたバー郡を、上下に２群配置することにより、正面照射バー３０ａを合計４本備え、同様に、背面照射バー３０ｂが左右に２本平行に並べられたバー郡を、上下に２群配置することにより、背面照射バー３０ｂを合計４本備える。看板の大きさに応じて、正面側、背面側の各バー群の数を１群にしたり、３群以上にすることができる。また、正面、背面照射バーの夫々を上下方向に１本配置したり、３本以上配置することができる。
【００２５】
図１（Ａ）へ示す通り、ケーシング１内にて最も枠体１４の右側部１４ａ寄りに位置するバー３０と当該右側部１４ａとの間、ケーシング１内にて最も枠体１４の左側部１４ｂ寄りに位置するバー３０と当該左側部１４ｂとの間の夫々には、ケーシング１の正面側と背面側との間にて光を通すことができる隙間ｋ，ｋが開けられている。
また、正面照射バー３０ａ，３０ａ同士の間、及び、背面照射バー３０ｂ，３０ｂ同士の間にも、ケーシング１の正面側と背面側との間にて光を通すことができる隙間ｋが開けられている。
各隙間ｋの幅は、３〜２５ｃｍとするのが好ましい。但し、このような数値は、変更可能である。
【００２６】
この実施の形態において、個々の正面照射バー３０ａ，３０ａ及び背面照射バー３０ｂ，３０ｂは、長手方向を上下として縦に配置されると共に、正面照射バー３０ａ，３０ａと背面照射バー３０ｂ，３０ｂ同士は、夫々左右に並べられている。正面照射バー３０ａ，３０ａと背面照射バー３０ｂ，３０ｂとは左右方向について、交互に配置され、互いに左右方向の位置を異なるものとしている。
即ち、正面・背面の何れの照射バーであるかを問わず、各バー３０…３０は、看板の正面視及び背面視において、互いに異なる位置に配置されている。特に、各バー３０…３０は、看板の正面視及び背面視において、重ならないように配置するのが好ましい。
【００２７】
そして、看板の正面視において、ケーシング１内にて（各正面照射バー群の）最も枠体１４の右側部１４ａ寄りに位置する正面照射バー３０ａは、当該バー３０ａの左方にて当該バーに隣り合う背面照射バー３０ｂと、看板の側部即ち枠体１４の当該右側部１４ａとの間から、高輝度ＬＥＤ３２…３２の配列面を、ケーシング１の正面側へ向ける。看板の正面視において、ケーシング１内にて最も枠体１４の左側部１４ｂ寄りに位置する正面照射バー３０ａは、当該バー３０ａの右方にて当該バーに隣り合う背面照射バー３０ｂと、看板の側部即ち枠体１４の当該左側部１４ｂとの間から、高輝度ＬＥＤ３２…３２の配列面を、ケーシング１の正面側へ向ける。
前述の通り、この実施の形態では、正面側の一つのバー群が備える正面照射バー３０ａは２本であり、背面側の一つのバー群が備える背面照射バー３０ｂも２本であるので、上記において、最も枠体１４の右側部１４ａ寄りに位置する正面照射バー３０ａに対し左方に隣り合う背面照射バー３０ｂと、最も枠体１４の左側部１４ｂ寄りに位置する正面照射バー３０ａに対し右方に隣り合う背面照射バー３０ｂとは、同一のバーである。
また、正面照射バー３０ａの一本（最も左側部１４ｂ寄りに位置する正面照射バー３０ａ）は、左右に隣り合う２本の背面照射バー３０ｂ，３０ｂの間から、その高輝度ＬＥＤ３２…３２の配列面をケーシング１の正面側へ向ける。
【００２８】
逆に、看板の正面視において、ケーシング１内にて（各背面照射バー群の）最も枠体１４の右側部１４ａ寄りに位置する背面照射バー３０ｂは、当該バー３０ｂの左方にて当該バー３０ａに隣接する正面照射バー３０ａと、看板の側部即ち枠体１４の当該右側部１４ａとの間から、高輝度ＬＥＤ３２…３２の配列面を、ケーシング１の背面側へ向ける。看板の正面視において、ケーシング１内にて最も枠体１４の左側部１４ｂ寄りに位置する背面照射バー３０ｂは、当該バー３０ｂの右方にて当該バー３０ｂに隣接する正面照射バー３０ａと、看板の側部即ち枠体１４の当該左側部１４ｂとの間から、高輝度ＬＥＤ３２…３２の配列面を、ケーシング１の背面側へ向ける。
ここでも、この実施の形態では、正面側の一つのバー群が備える正面照射バー３０ａは２本であり、背面側の一つのバー群が備える背面照射バー３０ｂも２本であるので、上記において、最も枠体１４の右側部１４ａ寄りに位置する背面照射バー３０ｂに対し左方に隣り合う正面照射バー３０ａと、最も枠体１４の左側部１４ｂ寄りに位置する背面照射バー３０に対し右方に隣り合う正面照射バー３０ａとは、同一のバーである。
また、背面照射バー３０ｂの一本（最も枠体１４の右側部１４ａ寄りに位置する背面照射バー３０ｂ）は、左右に隣り合う２本の正面照射バー３０ａ，３０ａの間から、その高輝度ＬＥＤ３２…３２の配列面をケーシング１の背面側へ向ける。
上記の例では、図１（Ａ）へ示す通り、枠体１４の最も右側部１４ａ寄りのバー３０を正面照射バー３０ａとし、枠体１４の最も左側部１４ｂ寄りのバー３０を背面照射バー３０ｂとしたが、これとは逆に、枠体１４の最も右側部１４ａ寄りのバー３０を背面照射バー３０ｂとし、枠体１４の最も左側部１４ｂ寄りのバー３０を正面照射バー３０ｂとして実施することも可能である。
【００２９】
ケーシング１内において、各バー３０…３０を図１（Ａ）へ示す通り或いは上記の通り配列するものであっても、前記各隙間ｋ…ｋを、バー３０にて完全に塞いでしまうことなく、確保しておくものとする。
この隙間ｋ…ｋを通じて、背面照射バー３０ｂ，３０ｂの各高輝度ＬＥＤ３２…３２が、ケーシング１の背面側に向けて発し背面部１３の内面にて反射した光を正面部１２側へ向け、ケーシング１の正面側の広告において、隣接する正面照射バー３０ａ，３０ａ間に生じる暗部を緩和し、正面照射バー３０ａ，３０ａと左右側部１４ａ，１４ｂとの間に生じる暗部を緩和することができる。
同様に、正面照射バー３０ａ，３０ａの各高輝度ＬＥＤ３２…３２が、ケーシング１の正面側に発して正面部１２の内面にて反射した光を背面部１３側へ向け、ケーシング１の背面側の広告において、隣接する背面照射バー３０ｂ，３０ｂ間に生じる暗部を緩和することができ、背面照射バー３０ｂ，３０ｂと左右側部１４ａ，１４ｂとの間に生じる暗部を緩和することができる。
【００３０】
正面部１２と背面部１３との間の幅方向即ち看板の前後方向について、正面照射バー３０ａと背面照射バー３０ｂとの位置は、同じとしてもよいが、前述の、各高輝度ＬＥＤ３２の、照射角度を考慮すると、正面部１２と背面部１３との間の幅方向即ち看板の前後方向について、正面照射バー３０ａの高輝度ＬＥＤ３２…３２の配列面と背面照射バー３０ｂの高輝度ＬＥＤの配列面との間隔がケーシング１の正面部１２内面と背面部１３の内面との間の幅ｗの１／２を超えない範囲において、正面照射バー３０ａの高輝度ＬＥＤ３２…３２の配列面を、背面照射バー３０ｂの高輝度ＬＥＤの配列面よりも、看板の後方へ寄せ、また、背面照射バー３０ｂの高輝度ＬＥＤの配列面を、正面照射バー３０ａの高輝度ＬＥＤ３２…３２の配列面よりも看板の正面側へ寄せるものとするのが好ましい。但し、各バー３０…３０の配置について、このような範囲に限定するものではなく、看板の前後の形状などに応じて、変更が可能である。
看板の前後の形状に大きな差異がない場合、特に、正面照射バー３０ａの高輝度ＬＥＤ３２…３２の配列面は、図３（Ａ）へ示す通り、ケーシング１内の、ケーシングの正面と背面との中間の位置即ち中間線Ｇから、ケーシング１の正面部１２内面と背面部１３の内面との間の幅ｗの１／４を超えない範囲において、背面部１３側へ寄せ、背面照射バー３０ｂの高輝度ＬＥＤ３２…３２の配列面は、ケーシング１内の、ケーシングの正面と背面との中間の位置即ち上記中間線Ｇから、ケーシング１の正面部１２内面と背面部１３の内面との間の幅ｗの１／４を超えない範囲において、正面部１２側へ寄せて配置することにより、正背面の夫々を照らす高輝度ＬＥＤについて、光を放散するための距離を、上記中間線Ｇに配置した場合よりも、大きく確保することができ、看板の前後（正面と背面との間）の厚みを肥大化させずに、広告面を照らす光の明暗の差を緩和することができる。
正面照射バー３０ａと背面照射バー３０ｂについて、夫々、中間線Ｇから上記の範囲を越えると、逆に正面と背面に向けられる直接光が弱くなり過ぎて、ムラが生じることが確認された。
但し、上記のような範囲に光源を設定するものに限定するものではなく、必要に応じて変更可能である。
また、上記において、正面部１２と背面部１３との間の幅方向即ち看板の前後方向について、正面照射バー３０ａが備える各高輝度ＬＥＤの位置は、正面照射バー３０ａの当該高輝度ＬＥＤの配列面とほぼ同じであり、背面照射バー３０ｂが備える各高輝度ＬＥＤの位置についても、背面照射バー３０ｂの当該高輝度ＬＥＤの配列面とほぼ同じであるとして説明したが、看板の前後方向について、各バー３０ａ，３０ｂの高輝度ＬＥＤ配列面と高輝度ＬＥＤの異なる場合、例えばＬＥＤが配列面から突出しているような場合、高輝度ＬＥＤの位置を上記の通りとすればよい。即ち、看板の前後方向について、正面照射バー３０ａの高輝度ＬＥＤの位置を、背面照射バー３０ｂの高輝度ＬＥＤよりも、看板の前後の幅ｗの１／２を超えない範囲において、看板の背面側へ配置するものとすれば良く、また、背面照射バー３０ｂの高輝度ＬＥＤの位置を、正面照射バー３０ａの高輝度ＬＥＤよりも、看板の前後の幅ｗの１／２を超えない範囲において、看板の正面側へ配置するものとすればよい。またこの場合、看板の前後方向について、中間線Ｇを基準とする上記配置についても、各バー３０ａ，３０ｂの高輝度ＬＥＤの配列面の位置ではなく、バー夫々の高輝度ＬＥＤの位置を、正面・背面の夫々のバー３０ａ，３０ｂの高輝度ＬＥＤの位置を規定するものとする。
【００３１】
図１〜図３（Ａ）に示す実施の形態において、２つ以上の正面照射バー３０ａが正面側バー群の一つを構成し、２つ以上の背面照射バー３０ｂが背面側バー群の一つを構成するものとしたが、図３（Ｂ）へ示すように、正面照射バー３０ａと背面照射バー３０ｂとは、夫々１つづつ設けられたものとしても実施できる。また、正面照射バー３０ａと背面照射バー３０ｂの一方は複数設けられ、他方は一つのみ設けられるものとしても実施できる。
図３（Ｂ）（Ｃ）へ示すように同一方向を向くバー３０を単数とする場合においても、正面部１２と背面部１３との間の幅方向即ち看板の前後方向について、正面照射バー３０ａと背面照射バー３０ｂとの位置は、同じとしてもよいが、前述の、各高輝度ＬＥＤ３２の、照射角度を考慮すると、正面部１２と背面部１３との間の幅方向即ち看板の前後方向について、正面照射バー３０ａの高輝度ＬＥＤ３２…３２の配列面と背面照射バー３０ｂの高輝度ＬＥＤの配列面との間隔がケーシング１の正面部１２内面と背面部１３の内面との間の幅ｗの１／２を超えない範囲において、正面照射バー３０ａの高輝度ＬＥＤ３２…３２の配列面を、背面照射バー３０ｂの高輝度ＬＥＤの配列面よりも、看板の後方へ寄せ、また、背面照射バー３０ｂの高輝度ＬＥＤの配列面を、正面照射バー３０ａの高輝度ＬＥＤ３２…３２の配列面よりも看板の正面側へ寄せるものとするのが好ましい。但し、各バー３０…３０の配置について、このような範囲に限定するものではなく、看板の前後の形状などに応じて、変更が可能である。
看板の前後の形状に大きな差異がないのであれば、同一方向を向くバー３０を単数とする場合も、図３（Ｃ）へ示すように、上記中間線Ｇからケーシング１の正面部１２内面と背面部１３の内面との間の幅ｗの１／４を超えない範囲において、正面照射バー３０ａの高輝度ＬＥＤ３２…３２の配列面を、背面照射バー３０ｂの高輝度ＬＥＤ３２…３２の配列面よりも、背面部１３側へ寄せ、上記中間線Ｇからケーシング１の正面部１２内面と背面部１３の内面との間の幅ｗの１／４を超えない範囲において、背面照射バー３０Ｂの高輝度ＬＥＤ３２…３２の配列面を、正面照射バー３０ａの高輝度ＬＥＤ３２…３２の配列面よりも、正面部１２側へ寄せて、光の広がる距離を稼ぐことができる。この場合、図３（Ｃ）へ示すように、正面側を向く高輝度ＬＥＤ３２の発する光の母線Ｎと、背面側を向く高輝度ＬＥＤ３２の発する光の母線Ｎとが近接することとなるので、同一方向を向くバー３０が単数であるか複数であるかを問わず、正面側広告へ向けた直接光と、背面側広告へ向けた直接光とが重ならないように注意する。
【００３２】
上記において、バー３０…３０は、ケーシング内において、支持体１５…１５に支持されるものとしたが、直接枠体１４に支持されるものとしても実施できる。即ち、枠体１４が支持体１５を兼ねるものとしても実施できる。また、各バー３０…３０を直接支持体１５…１５へ取り付けるのではなく、上述してきたバー３０のケーシング内での配置を図るため、支持体１５とバー３０の間に位置調整手段（スペーサ）と取り付け手段を兼ねた冶具を介して支持体１５へバー３０を固定するものとしても実施できる。
【００３３】
上記の実施の形態において、各バー３０…３０を上下に立てた状態に配置するものとしたが、このような上下に起立した状態に各バー３０…３０を配置するものに限定するものではなく、横方向に寝かせた状態にバー３０…３０を配置するものに限定するものとしても実施できる。この場合、ケーシング１内において、最も上方に位置するバーと枠体１４の上側部１４ａとの間、更に、最も下方に位置するバー３０と枠体１４の下側部１４ｄとの間に隙間ｋを確保するものとする。
更には、このように横又は縦に伸びるように長尺のバー３０を配置するものに限定するものではなく、バー３０…３０を上下方向に対して斜めに伸びるように配置しても実施できる。
【００３４】
上記の実施の形態において、少なくとも左右に隣り合うバー３０，３０同士は、互いに平行とした。更に、少なくとも同一の方向を向くバー３０…３０同士は、互いに平行とした。そして、バー３０…３０は全て互いに平行となるように配置したものを示した。
この他、バー３０…３０同士全て平行とするものに限定するものではなく、例えば、同一方向を向くバー３０…３０同士を平行とし、異なる方向を向くバー３０…３０とは平行とならないように配置するものとしても実施でき、更には、隣り合うバー３０，３０同士は、平行にならず互いに斜めとなるように配置するものとしても実施できる。
上記の実施の形態において、正面視及び背面視において、バー３０…３０同士は重ならないものとした。この他、バー３０同士は、正面視及び背面視において、全体が重ならないのであれば、その一部同士重なるものであってもよく、正面照射バー３０ａと背面照射バー３０ｂとは交差するものであっても実施できる。例えば、複数の正面照射バー３０ａ…３０ａと複数の背面照射バー３０ｂ…３０ｂとが、正面視及び背面視において縦横に井桁状に配列されるものとしても実施できる。この場合、縦のバー３０…３０を全て正面照射バー３０ａとし、当該縦のバー３０…３０と交差する横のバー３０…３０を全て背面照射バー３０ａとすることも可能であるし、正面照射バー３０ａと背面照射バー３０ｂの縦横の配列を逆とすることも可能である。更に、縦のバー３０…３０を全て正面又は背面照射バーの何れか一方とするのではなく、縦のバー３０…３０は正面照射バー３０ａと背面照射バー３０ｂとが交互に配列されたものとし、同様に、当該縦のバー３０…３０と交差する横のバー３０…３０も、正面照射バー３０ａと背面照射バー３０ｂとが交互に配列されたものとすることができる。
上記の通りバー３０…３０を井桁状に組む場合、縦のバー３０…３０に対して横のバー３０…３０が直接固定され或いは接触するものとする必要はない。後述するバーの看板前後方向に対する配置設定に応じて、縦横両バー３０…３０を接触させたり、前後方向の間隔を開けて配置すればよい。
尚、井桁の形成はバーの縦横の交差に限らず、看板の正面視及び背面視において、一端を右上とし他の一端を左下としてバー３０…３０を斜めに配置して、一端を左上とし他の一端を右下として斜めに配置したバー３０…３０と、交差させるものであっても実施できる。
【００３５】
また、上記において、建造物に設置する突き出し型の看板に本願発明を実施した例を示したが、本願発明に係る看板は、両面式で、内照式の看板であればよく、看板を地面又は床に置くスタンド型の内照式看板など、何れのタイプの看板においても実施可能である。
【符号の説明】
【００３６】
１    ケーシング
２    電源部
３    光源部
３０    バー  
３０ａ  正面照射バー    
３０ｂ  背面照射バー
３２    高輝度ＬＥＤ
【図１】
2011221369.tif 000003
【図２】
2011221369.tif 000004
【図３】
2011221369.tif 000005